(57)【要約】【課題】  携帯電話などの携帯通信端末に内蔵された放送信号受信用チューナのアンテナが良好に機能するようにする。【解決手段】  二次電池１２６が内蔵されて、この二次電池を電源として使用する携帯通信端末１００において、得られた直流電源で二次電池を充電させると共に、機器内部の回路を作動させる電源供給端子１２１，１２２と、その電源供給端子１２１，１２２に接続された電源ケーブル３２をアンテナとして使用して、放送信号を受信するチューナ１１２とを備えるようにした。【選択図】      図１
2006054502.tif 000002
【特許請求の範囲】
【請求項１】
二次電池が内蔵されて、該二次電池を電源として使用する携帯通信端末において、
得られた直流電源で前記二次電池を充電させると共に、機器内部の回路を作動させる電源供給端子と、
前記電源供給端子に接続された電源ケーブルをアンテナとして使用して、放送信号を受信するチューナとを備えた
携帯通信端末。
【請求項２】
請求項１記載の携帯通信端末において、
前記電源供給端子と前記二次電池を充電させる回路との間に、前記放送信号の伝送帯域を減衰させ、前記直流電源を減衰させない素子を配置した
携帯通信端末。
【請求項３】
請求項１記載の携帯通信端末において、
前記チューナで受信して得たオーディオ信号を出力させるオーディオ出力端子に接続されたオーディオ用ケーブルについても、前記チューナはアンテナとして使用する
携帯通信端末。
【請求項４】
請求項３記載の携帯通信端末において、
前記電源ケーブルと前記オーディオ用ケーブルのいずれか一方が接続された場合には、接続された側のケーブルをアンテナとして使用し、双方が接続された場合に、予め決めた側のケーブルをアンテナとして使用する切替スイッチを備えた
携帯通信端末。
【請求項５】
二次電池が内蔵されて、該二次電池を電源として使用する携帯通信端末と、当該携帯通信端末の二次電池に電源を供給する電源アダプタとを備えた携帯端末システムにおいて、
前記電源アダプタに接続された電源ケーブルをアンテナとして使用して、放送信号を受信するチューナを備えた
携帯端末システム。
【請求項６】
請求項５記載の携帯端末システムにおいて、
前記電源アダプタは、前記携帯通信端末を保持する充電台を介して前記携帯通信端末に接続される
携帯端末システム。
【請求項７】
請求項５記載の携帯端末システムにおいて、
前記携帯通信端末は、前記チューナで受信して得たオーディオ信号を出力させるオーディオ用出力端子を備え、
前記オーディオ用出力端子に接続されたオーディオ用ケーブルについても、前記チューナはアンテナとして使用する
携帯端末システム。
【発明の詳細な説明】
【技術分野】
【０００１】
本発明は、ラジオ放送などの放送信号を受信するチューナが内蔵された携帯電話端末に適用して好適な携帯通信端末、及びその携帯通信端末を使用した携帯端末システムに関する。
【背景技術】
【０００２】
近年、携帯電話端末に各種機能を内蔵させることが提案され、実用化されている。例えば、携帯電話端末に、ラジオ放送やテレビジョン放送を受信するチューナを内蔵させて、端末に内蔵されたスピーカや接続されたイヤホンから、受信したラジオ放送やテレビジョン放送によるオーディオを出力させたり、端末に内蔵された表示パネルで、受信したテレビジョン放送による映像を表示させることが行われている。
【０００３】
図５は、従来のラジオ放送用チューナが内蔵された携帯電話端末１０と、その周辺機器の構成例を示した図である。携帯電話端末１０は、携帯電話機機能ブロック１１を備えて、この携帯電話機機能ブロック１１で、通話などのための無線通信処理と、その無線通信のための制御処理と、表示処理と、入力処理などの、携帯電話機として必要な各種処理を行うようにしてある。携帯電話機機能ブロック１１を作動させるのに必要な電源は、二次電池で構成されたバッテリ２４から電源制御部２５を介して各部に供給される構成としてある。
【０００４】
バッテリ２４の充電については、例えば、ＡＣアダプタ３１が接続された充電台４０から供給される電源で行うようにしてある。即ち、携帯電話端末１０は、充電用の端子として、充電端子２１及び接地（ＧＮＤ）端子２２を備え、充電台４０に携帯電話端末１０を載せたとき、充電台４０側の充電端子４１及び接地（ＧＮＤ）端子４２と接触する構成としてある。
【０００５】
充電台４０の充電端子４１及び接地端子４２は、充電台４０内のコネクタ４３と接続させてあり、このコネクタ４３に、ＡＣアダプタ３１とケーブル３２で接続されたコネクタ３３を接続させることで、充電台４０に載せた携帯電話端末１０に、ＡＣアダプタ３１で商用交流電源を変換した直流電源が供給される。
【０００６】
充電台４０から携帯電話端末１０の充電端子２１に供給された直流電源は、充電回路２３を介してバッテリ２４に供給されて充電される。
【０００７】
また、この携帯電話端末１０は、ラジオ放送（ＦＭ放送）を受信するチューナ１２を備え、チューナ１２で放送信号を受信して得たオーディオ信号を、スイッチ１３を介してスピーカ１４に供給して出力させるようにしてある。或いは、スイッチ１３でスピーカ１４の代わりにコネクタ１７側に切替えるようにしてあり、コネクタ１７に接続されたイヤホン５０から出力させることもできる。また、スイッチ１３での切替えで、携帯電話機機能ブロック１１側で受信した通話用の音声信号（オーディオ信号）を、スピーカ１４又はイヤホン５０から出力させることもできる。
【０００８】
イヤホン５０の構成としては、携帯電話端末１０側のコネクタ１７に接続されるコネクタ５１と、このコネクタ５１にケーブル５２で接続されたレシーバ５３とを備え、レシーバ５３から供給されたオーディオ信号が出力される。
【０００９】
ここで、従来のチューナが内蔵された携帯電話端末の場合には、チューナ１２が必要なアンテナとして、イヤホン５０のケーブル５２を使用するようにしてある。即ち、たとえばＦＭ放送を受信するチューナの場合、数十ＭＨｚの周波数帯域を受信する必要があり、無線電話用の周波数帯域よりも低い周波数であり、比較的長さが長いアンテナが必要であり、端末本体にアンテナを内蔵させるのは困難である。従って、少なくとも数十ｃｍの長さを有するイヤホン５０のケーブル５２を、ＦＭ放送受信用のアンテナとして使用するようにしてある。
【００１０】
イヤホン５０のケーブル５２をアンテナとして使用するための構成としては、図５に示すように、コネクタ１７の接地側をチューナ１２のアンテナ入力部に接続してある。ここで、コネクタ１７の接地側と端末１０の接地電位部との間には、ビーズ１６を接続してある。このビーズは、放送信号の無線伝送帯域を減衰させ、オーディオ信号の帯域を減衰させない素子である。さらに、スイッチ１３とコネクタ１７との間にもビーズ１５を接続してある。
【００１１】
ビーズ１５，１６がコネクタ１７に接続してあることで、コネクタ１７に接続されたイヤホン５０のケーブル５２をアンテナとして使用する場合の、端末１０内の他の回路への干渉を除去することができる。特許文献１には、携帯電話端末に接続されたイヤホンケーブルをアンテナとして使用することについての開示がある。
【特許文献１】特開２０００−１３４２９８号公報
【発明の開示】
【発明が解決しようとする課題】
【００１２】
ところが、イヤホンケーブルをアンテナとして使用した場合には、端末にイヤホンが接続されていない状態では、アンテナが接続されていない状態であり、チューナで良好な放送信号の受信ができない問題があった。ユーザの使用状態によっては、イヤホンを使用しないで、端末に内蔵されたスピーカ（図５のスピーカ１４）からオーディオを出力させたい場合もあるが、このような場合でもイヤホンを接続する必要があり、使い勝手が良いとはいえなかった。
【００１３】
また、イヤホンケーブルは、使用状態によっては短く巻き取られた状態で使用されるなど、必ずしもアンテナとして適した状態で使用されるとは限らない問題があった。
【００１４】
本発明はかかる点に鑑みてなされたものであり、携帯電話などの携帯通信端末に内蔵された放送信号受信用チューナのアンテナが良好に機能することを目的とする。
【課題を解決するための手段】
【００１５】
本発明は、二次電池が内蔵されて、この二次電池を電源として使用する携帯通信端末において、得られた直流電源で二次電池を充電させると共に、機器内部の回路を作動させる電源供給端子と、その電源供給端子に接続された電源ケーブルをアンテナとして使用して、放送信号を受信するチューナとを備えるようにしたものである。
【００１６】
このようにしたことで、二次電池を充電させるために接続したＡＣアダプタなどの電源ケーブルが、放送信号受信用のアンテナとして機能するようになる。
【発明の効果】
【００１７】
本発明によると、二次電池を充電させるために接続したＡＣアダプタなどの電源ケーブルが、放送信号受信用のアンテナとして機能するようになり、チューナが放送信号を良好に受信できるようになる。
【００１８】
この場合、電源供給端子と二次電池を充電させる回路との間に、放送信号の伝送帯域を減衰させ、直流電源を減衰させない素子を配置したことで、電源ケーブルをアンテナとして使用することが、端末内の他の回路に悪影響を与えることがない効果を有する。
【００１９】
また、チューナで受信して得たオーディオ信号を出力させるオーディオ出力端子に接続されたオーディオ用ケーブルについても、チューナはアンテナとして使用することで、電源ケーブルとオーディオ用ケーブルのいずれか一方が接続してあれば、チューナで放送信号の受信が可能で、それだけ良好に受信できる可能性が高くなる。
【００２０】
さらに、電源ケーブルとオーディオ用ケーブルのいずれか一方が接続された場合には、接続された側のケーブルをアンテナとして使用し、双方が接続された場合に、予め決めた側のケーブルをアンテナとして使用する切替スイッチを備えたことで、良好に受信できるケーブルを優先的に使用することが可能になる。
【発明を実施するための最良の形態】
【００２１】
以下、本発明の一実施の形態を、図１〜図４を参照して説明する。
本例においては、ＦＭラジオ放送を受信するチューナが内蔵された携帯電話端末としてある。
【００２２】
図１は、本例のラジオ放送用チューナが内蔵された携帯電話端末１００と、その周辺機器の構成例を示した図である。携帯電話端末１００は、携帯電話機機能ブロック１１１を備えて、この携帯電話機機能ブロック１１１で、通話などのための無線通信処理と、その無線通信のための制御処理と、表示処理と、入力処理などの、携帯電話機として必要な各種処理を行うようにしてある。携帯電話機機能ブロック１１１を作動させるのに必要な電源は、二次電池で構成されたバッテリ１２６から電源制御部１２７を介して各部に供給される構成としてある。
【００２３】
バッテリ１２６の充電については、例えば、ＡＣアダプタ３１が接続された充電台４０から供給される電源で行うようにしてある。即ち、携帯電話端末１００は、充電用の端子として、充電端子１２１及び接地（ＧＮＤ）端子１２２を備え、充電台４０に携帯電話端末１００を載せたとき、充電台４０側の充電端子４１及び接地（ＧＮＤ）端子４２と接触する構成としてある。
【００２４】
充電台４０の充電端子４１及び接地端子４２は、充電台４０内のコネクタ４３と接続させてあり、このコネクタ４３に、ＡＣアダプタ３１と電源ケーブル３２で接続されたコネクタ３３を接続させることで、充電台４０に載せた携帯電話端末１００に、ＡＣアダプタ３１で商用交流電源を変換した直流電源が供給される。電源ケーブル３２については、少なくとも数十センチの長さがある。
【００２５】
充電台４０から携帯電話端末１００の充電端子１２１に供給された直流電源は、ビーズ１２３及び充電回路１２４を介してバッテリ１２６に供給されて充電される。なお、ＡＣアダプタ３１が接続された充電台４０に、携帯電話端末１００が載せられて、電源が供給されている状態（即ち電源ケーブルの接続の有無）は、この端末１００の携帯電話機機能ブロック１１１内の制御部が判断できるようにしてある。
【００２６】
また、この携帯電話端末１００は、ラジオ放送（ＦＭ放送）を受信するチューナ１１２を備え、チューナ１１２で放送信号を受信して得たオーディオ信号を、スイッチ１１３を介してスピーカ１１４に供給して出力させるようにしてある。或いは、スイッチ１１３でスピーカ１１４の代わりにコネクタ１１７側に切替えることも可能としてあり、コネクタ１１７に接続されたイヤホン５０から出力させることもできる。また、スイッチ１１３での切替えで、携帯電話機機能ブロック１１１側で受信した通話用の音声信号（オーディオ信号）を、スピーカ１１４又はイヤホン５０から出力させることもできる。
【００２７】
なお、スイッチ１１３でのスピーカ１１４とイヤホン５０との切替えは、例えばイヤホン５０がコネクタ１１７に接続されているとき、イヤホン５０側に切替えさせ、イヤホン５０が接続されていないとき、スピーカ１１４側に切替えさせる。この切替えのためのイヤホン５０の接続の検出としては、例えば電気的な特性から検出を行う場合や、コネクタ１１７内の接点の状態などから機械的に検出を行う場合などの、いずれの検出でもよい。いずれの場合でも、本例の場合には、この端末１００の携帯電話機機能ブロック１１１内の制御部が、イヤホン５０の接続の有無を判断できるようにしてある。
【００２８】
イヤホン５０の構成としては、携帯電話端末１００側のコネクタ１１７に接続されるコネクタ５１と、このコネクタ５１にケーブル５２で接続されたレシーバ５３とを備え、レシーバ５３から供給されたオーディオ信号が出力される。
【００２９】
そして本例においては、チューナ１１２が必要なアンテナとして、イヤホン５０のオーディオ用ケーブル５２と、充電台４０を介して接続されたＡＣアダプタ３１の電源ケーブル３２の双方を使用するようにしてある。即ち、充電台４０と接続される接地端子１２２と、イヤホンが接続されるコネクタ１１７の接地側を、スイッチ１１８に接続してあり、スイッチ１１８で選択的に接地端子１２２とコネクタ１１７の接地側を、チューナ１１２のアンテナ入力部に接続する構成としてある。スイッチ１１８の切替えは、例えば携帯電話機機能ブロック１１１側の制御部から供給されるスイッチ制御信号により制御される。
【００３０】
このスイッチ制御信号による切替えとしては、例えば、イヤホン５０だけが接続された場合には、イヤホンが接続されるコネクタ１１７側をチューナ１１２のアンテナ入力に接続させるように、スイッチ１１８を切替えさせる。また、充電台４０だけが接続された場合には、充電台４０と接続される接地端子１２２側をチューナ１１２のアンテナ入力に接続させるように、スイッチ１１８を切替えさせる。
【００３１】
さらに、イヤホン５０と充電台４０の双方が接続された場合には、予め決めた側のライン（ケーブル）をアンテナ線として使用するように、スイッチ１１８を切替えさせる。本例の場合には、イヤホン５０と充電台４０の双方が同時に接続された場合には、イヤホンが接続されるコネクタ１１７側をチューナ１１２のアンテナ入力に接続させるようにしてある。なお、後述するように、同時接続時に使用するケーブルについては、別のケーブルとしてもよい。
【００３２】
そして、このようにチューナ１１２のアンテナ入力を接続したことで、端末１００内の他の回路への干渉を防止するために、高周波信号を減衰させて、直流信号やオーディオ信号のような低域の信号を減衰させずに通過させる素子としてのビーズを、各部に接続してある。
【００３３】
即ち、図１に示すように、コネクタ１１７側では、コネクタ１１７の接地側と端末１００の接地電位部との間には、ビーズ１１６を接続してあり、スイッチ１１３とコネクタ１１７との間にもビーズ１１５を接続してある。また、充電台４０と接続される充電端子１２１と充電回路１２４との間に、ビーズ１２３を接続してあり、充電台４０と接続される接地（ＧＮＤ）端子１２２と接地電位部との間に、ビーズ１２５を接続してある。
【００３４】
各ビーズ１１５，１１６，１２３，１２５は、例えば図４に示した特性としてある。即ち、数十ＭＨｚから数百ＭＨｚの高周波信号を大きく減衰させて、直流信号やオーディオ信号のような低域の信号については、ほとんど減衰させない特性ａとしてある。図４に示した特性は一例であり、その他の特性の素子を使用してもよい。
【００３５】
このように構成される携帯電話端末１００を充電台４０に載せた状態の例は、例えば図２に示す状態になる。即ち、端末１００が、充電台４０に載せてあり、その充電台４０に、ＡＣアダプタ３１のコネクタ３３が接続してあり、ＡＣアダプタ３１で商用交流電源を変換した直流低圧電源が、ケーブル３２を介して充電台４０に供給されて、携帯電話端末１００にも供給される。また図２の状態では、携帯電話端末１００のコネクタ１１７にイヤホン５０も接続してある。
【００３６】
この図４に示す状態で、チューナ１１２でＦＭ放送を受信した場合、イヤホン５０のオーディオ用ケーブル５２又はＡＣアダプタ３１の電源ケーブル３２が、チューナ１１２で放送波受信用アンテナとして使用される。
【００３７】
なお、ＡＣアダプタ３１としては、例えば図３に示す構成である。即ち、商用交流電源が得られるＡＣプラグ３４を、変圧用のトランス３５の一次側に接続してあり、そのトランス３５の二次側をケーブル３２に接続してある。ここで、トランス３５の二次側には、平滑用のコンデンサ３８と、直流化用のダイオード３７が接続してあり、さらに、トランス３５の一次側と二次側との間には、ノイズ除去用のコンデンサ３６が接続してある。
【００３８】
このように構成されるＡＣアダプタ３１の電源ケーブル３２が、携帯電話端末１００内の放送信号受信用のチューナ１１２のアンテナとして利用されることで、端末１００内のチューナ１１２の受信特性を良好にすることができる。即ち、例えばイヤホン５０が携帯電話端末１００に接続されていない状態で、端末１００を充電台４０に載せたとき、図５に示した従来構成ではチューナにアンテナが接続されない状態であったのが、本例ではチューナ１１２に電源ケーブル３２がアンテナとして接続されて、良好な受信が行える。
【００３９】
また、電源ケーブル３２をアンテナとして使用するので、バッテリ１２６への充電と同時に放送信号を受信するような場合に、好適である。また、従来のようにイヤホンだけをアンテナ線として利用する構成の場合には、必ずイヤホンを付属させて端末１００を販売させる必要があったが、本例のようにＡＣアダプタを利用することで、イヤホンを付属させて端末１００を販売する必要がなくなる。
【００４０】
さらに、ＡＣアダプタ３１は、図３に示したように、ノイズ除去用のコンデンサ３６を介してＡＣプラグ３４が接続された交流電源ライン側とも信号的には接続されているので、ＡＣプラグ３４が接続された交流電源ラインについてもアンテナとして機能することになり、非常に長いアンテナが接続されることになり、受信性能の向上が図れる。
【００４１】
なお、上述した実施の形態では、ＡＣアダプタ（電源ケーブル）とイヤホンが同時に接続された場合に、イヤホンをアンテナとして使用するようにしたが、同時接続の場合に、電源ケーブルを使用するようにスイッチ１１８を切替えるようにしてもよい。また、ＡＣアダプタ（電源ケーブル）とイヤホンが同時に接続された場合に、いずれかの接続でチューナ１２での受信を試みて、良好に受信できない場合に、スイッチ１１８を切替えて、別のケーブルをアンテナとして使用するように切替えてもよい。
【００４２】
さらに、スイッチ１１８で切替える構成ではなく、同時接続の場合に、両方のケーブルをアンテナとして同時に使用する構成としてもよい。
【００４３】
また、アンテナとして使用するラインと、端末内の他の回路との干渉を防止する素子として、上述した実施の形態では、ビーズを使用するようにしたが、放送波の帯域を減衰させて、直流電源やオーディオ信号帯域などを通過させる素子であれば、コイルなどの他の素子を使用してもよい。また、そのビーズなどの素子を配置する位置についても、図１の例では、各端子（コネクタ）の＋側（信号側）と接地側の双方に、素子（ビーズ）を接続した例としたが、例えば接地側だけに接続してもよい。
【００４４】
また、上述した実施の形態では、携帯電話端末１００に充電台４０を介してＡＣアダプタ３１を接続して、そのＡＣアダプタ３１のケーブル３２をアンテナとして使用するようにしたが、例えばＡＣアダプタ３１のコネクタ３３を、直接携帯電話端末１００のＡＣアダプタ用のコネクタ（図示せず）に接続した場合にも、そのＡＣアダプタ３１のケーブル３２がアンテナとして使用できるようにしてもよい。
【００４５】
また、上述した実施の形態では、商用交流電源を直流電源に変換するＡＣアダプタを使用した例としたが、例えば、自動車用の１２Ｖや２４Ｖなどの直流電源を、低圧電源に変圧するいわゆるＤＣ／ＤＣコンバータを、充電台４０を介して接続（或いは直接接続）された場合に、そのＤＣ／ＤＣコンバータの電源ケーブルをアンテナとして使用することもできる。
【００４６】
また、上述した実施の形態では、ＦＭ放送を受信するチューナを内蔵した携帯電話端末に適用したが、その他の放送信号を受信するチューナを内蔵した端末にも適用可能である。また、テレビジョン放送などのその他の放送信号を受信するチューナにも適用可能である。さらに、携帯電話端末に適用した例としたが、その他のこの種の携帯用の通信端末が内蔵したチューナ用のアンテナにも適用可能である。
【図面の簡単な説明】
【００４７】
【図１】本発明の一実施の形態による携帯電話端末の構成例を示した構成図である。
【図２】本発明の一実施の形態による携帯端末とその周辺機器の構成例を示した斜視図である。
【図３】本発明の一実施の形態によるＡＣアダプタの構成例を示した構成図である。
【図４】本発明の一実施の形態によるビーズの周波数特性の例を示した特性図である。
【図５】従来の携帯電話端末の一例を示した構成図である。
【符号の説明】
【００４８】
３１…ＡＣアダプタ、３２…電源ケーブル、３３…コネクタ、４０…充電台、４１…充電端子、４２…接地端子、４３…コネクタ、５０…イヤホン、５１…コネクタ、５２…オーディオ用ケーブル、５３…レシーバ、１００…携帯電話端末、１１１…携帯電話機機能ブロック、１１２…チューナ、１１３…スイッチ、１１４…スピーカ、１１５，１１６…ビーズ、１１７…コネクタ、１１８…スイッチ、１２１…充電端子、１２２…接地端子、１２３…ビーズ、１２４…充電回路、１２５…ビーズ、１２６…バッテリ、１２７…電源制御部
【図１】
2006054502.tif 000003
【図２】
2006054502.tif 000004
【図３】
2006054502.tif 000005
【図４】
2006054502.tif 000006
【図５】
2006054502.tif 000007